(57)【要約】【課題】意匠性を損なうことなく容易に照明空間全体の光のムラを低減することのできる照明器具を提供する。【解決手段】第１の側板１１及び第２の側板１２、並びに天板１０を有し、第１の側板１１を壁面Ａに当接させて天井面Ｂに埋込配設される下面を開口した長尺箱形の器具本体１と、ソケット２０と、器具本体１内部において天板１０及び第２の側板１２と蛍光ランプＬａとの間の空間に設けられて蛍光ランプＬａからの光を下方に拡散して反射する反射板３と、第１の側板１１に設けられて壁面Ａに垂直な方向において蛍光ランプＬａの反射板３側の端面よりも突出し且つ蛍光ランプＬａの下方を覆う遮光板４と、反射板３の下端部に設けられて蛍光ランプＬａ及び反射板３からの光を吸収する長尺板状の非反射部材６とを備え、非反射部材６を蛍光ランプＬａの口金近傍以外の部位と対向するように配設した。【選択図】図１
2010067412.tif 000002
【特許請求の範囲】
【請求項１】
長尺板状の第１の側板及び第２の側板、並びに両側板の上端部を連結する長尺板状の天板を有し、第１の側板を壁面に当接させて天井面に埋込配設される下面を開口した長尺箱形の器具本体と、第１の側板に取り付けられて直管形の蛍光ランプが着脱自在に装着されるソケットと、器具本体内部において天板及び第２の側板と蛍光ランプとの間の空間に設けられて蛍光ランプからの光を下方に拡散して反射する反射板と、第１の側板に設けられて壁面に垂直な方向において蛍光ランプの反射板側の端面よりも突出し且つ蛍光ランプの下方を覆う遮光板と、反射板の下端部に設けられて蛍光ランプ及び反射板からの光を吸収する非反射部材とを備え、非反射部材は、長尺板状であって、蛍光ランプの口金近傍以外の部位と対向するように配設されたことを特徴とする照明器具。
【請求項２】
前記非反射部材は、壁面と平行な面上に配設されたことを特徴とする請求項１記載の照明器具。
【請求項３】
前記非反射部材は、長手方向における端部の幅寸法が他の部位の幅寸法よりも小さくなるように形成されたことを特徴とする請求項１又は２記載の照明器具。
【発明の詳細な説明】
【技術分野】
【０００１】
本発明は、天井に埋込配設される間接照明用の照明器具に関する。
【背景技術】
【０００２】
従来から、蛍光ランプ等の光源からの光を遮光して直接光を避け、天井や壁などに反射させて間接光とする間接照明用の照明器具として、例えば特許文献１に開示されているようなものがある。以下、特許文献１に記載の従来例について図面を用いて説明する。この従来例は、図６に示すように、壁面に取り付けられて直管形の蛍光ランプ１００が装着される器具本体１０１と、壁面に垂直な方向において蛍光ランプ１００を挟んで器具本体１０１と対向して設けられる反射板１０２と、反射板１０２の蛍光ランプ１００の両端部と対向する部位において、一部が器具本体１０１の外側に突出して成り且つ蛍光ランプ１００からの光を器具本体１０１外側に反射する補助反射板１０３とを備える。而して、例えば通路等で複数の照明器具の端部同士を突き合わせて連設する場合に、蛍光ランプ１００の端部と対向する壁面を照らすことができ、したがって照明空間全体の光のムラを低減することができる。
【特許文献１】特開２００７−１３４１７４号公報
【発明の開示】
【発明が解決しようとする課題】
【０００３】
しかしながら、上記従来例のように補助反射板１０３を設けた場合、照明空間全体の光のムラを低減することはできるものの、下方から器具本体１０１を見上げた際に補助反射板１０３が視界に入ってしまい意匠性が損なわれるという問題があった。また、上記問題を避けるために補助反射板１０３が視界に入らないように器具本体１０１内部に配設することが困難であるという問題もあった。
【０００４】
本発明は、上記の点に鑑みて為されたもので、意匠性を損なうことなく容易に照明空間全体の光のムラを低減することのできる照明器具を提供することを目的とする。
【課題を解決するための手段】
【０００５】
請求項１の発明は、上記目的を達成するために、長尺板状の第１の側板及び第２の側板、並びに両側板の上端部を連結する長尺板状の天板を有し、第１の側板を壁面に当接させて天井面に埋込配設される下面を開口した長尺箱形の器具本体と、第１の側板に取り付けられて直管形の蛍光ランプが着脱自在に装着されるソケットと、器具本体内部において天板及び第２の側板と蛍光ランプとの間の空間に設けられて蛍光ランプからの光を下方に拡散して反射する反射板と、第１の側板に設けられて壁面に垂直な方向において蛍光ランプの反射板側の端面よりも突出し且つ蛍光ランプの下方を覆う遮光板と、反射板の下端部に設けられて蛍光ランプ及び反射板からの光を吸収する非反射部材とを備え、非反射部材は、長尺板状であって、蛍光ランプの口金近傍以外の部位と対向するように配設されたことを特徴とする。
【０００６】
請求項２の発明は、請求項１の発明において、非反射部材は、壁面と平行な面上に配設されたことを特徴とする。
【０００７】
請求項３の発明は、請求項１又は２の発明において、非反射部材は、長手方向における端部の幅寸法が他の部位の幅寸法よりも小さくなるように形成されたことを特徴とする。
【発明の効果】
【０００８】
請求項１の発明によれば、蛍光ランプの口金近傍以外の部位からの光を非反射部材で吸収することで、他の部位と比べて光量の小さい蛍光ランプの口金近傍からの光の照射量と他の部位からの光の照射量とを均一にすることができる。したがって、従来例のように補助反射板を設ける必要が無く、意匠性を損なうことなく容易に照明空間全体の光のムラを低減することができる。
【０００９】
請求項２の発明によれば、器具本体を下方から見上げた場合に非反射部材が視界に入り難くなり、したがって意匠性を向上することができる。
【００１０】
請求項３の発明によれば、他の部位と比べて光量の小さい蛍光ランプの口金近傍からの光の照射量と他の部位からの光の照射量とをより均一にすることができ、したがって照明空間全体の光のムラをより低減することができる。
【発明を実施するための最良の形態】
【００１１】
以下、本発明に係る照明器具の実施形態について図面を用いて説明する。尚、以下の説明では、図１における上下を上下方向と定めるものとする。本実施形態は、図１に示すように、長尺板状の第１の側板１１及び第２の側板１２、並びに両側板１１，１２の上端部を連結する長尺板状の天板１０を有し、第１の側板１１を壁面Ａに当接させて天井面Ｂに埋込配設される下面を開口した器具本体１と、第１の側板１１に取り付けられて直管形の蛍光ランプＬａが着脱自在に装着される一対のソケット２０と、器具本体１内部において天板１０および第２の側板１２と蛍光ランプＬａとの間の空間に設けられて蛍光ランプＬａからの光を下方に拡散して反射する反射板３と、第１の側板１１の下端部に設けられて壁面Ａに垂直な方向（以下、「水平方向」と呼ぶ）において蛍光ランプＬａの反射板３側の端面よりも突出し且つ蛍光ランプＬａの下方を覆う遮光板４と、反射板３の下端部に設けられて蛍光ランプＬａ及び反射板３からの光を吸収する非反射部材６とを備える。
【００１２】
器具本体１は、図１〜４に示すように、断面略コ字状であって、その長手方向の長さが蛍光ランプＬａの長手方向の長さと略一致するような箱体に形成されており、天井面Ｂよりも上方に位置する天井面（図示せず）から垂下する複数の吊ボルト９によって吊持される。第１の側板１１の器具本体１内側の面には、蛍光ランプ１の長手方向両端部の口金が各々着脱自在に接続される一対のソケット２０が設けられた長尺板状のソケット取付板２が取り付けられている。また、器具本体１の内部には、図示しないがソケット２０を介して蛍光ランプＬａに点灯に必要な電力を供給するための点灯装置が備えられている。而して、天板１０の下面に設けられた端子台７に外部電源（図示せず）から引き回される電源線（図示せず）を接続することで、点灯装置に電源が供給されて蛍光ランプＬａが点灯するようになっている。更に、図１に示すように、器具本体１の内部には天板１０、第１の側板１１、第２の側板１２にそれぞれ当接する平板状の補強板８が器具本体１の長手方向に沿って複数（図示では１つ）設けられており、外力等による器具本体１の変形を防止している。
【００１３】
ソケット取付板２は、図１〜３に示すように、長手方向に沿って所定間隔を空けてソケット２０が設けられる第１の取付板２２と、第１の取付板２２の上端部から第２の側板１２に向かって水平方向に延設された第２の取付板２３と、第１の取付板２２の下端部から第２の側板１２に向かって水平方向からやや下方に傾斜する方向に延設された断面略Ｌ字状の第３の取付板２４とから成る。そして、第２の取付板２３には後述する反射板３の一端部がねじ止めによって取り付けられ、第３の取付板２４には後述する磁石２１が配設される。
【００１４】
反射板３は、金属板から形成されるとともにその蛍光ランプＬａと対向する内面が白色塗料で塗装され、図１〜４に示すように、断面略４分の１円弧状に湾曲した湾曲部３０と、湾曲部３０の下端部から鉛直下方に延設された垂下部３１とから成る。湾曲部３０及び垂下部３１の内面は、何れも例えば微細な凹凸を設ける等して入射した光が拡散して反射するようになっている。而して、蛍光ランプＬａからの光が反射板３の内面で反射して器具本体１の下方の壁面Ａ、及び器具本体１の下方の空間に照射される。また、垂下部３１には後述する非反射部材６がリベットによって接合されている。
【００１５】
遮光板４は、金属板から形成されるとともにその下面が白色塗料で塗装され、図１，４に示すように、壁面Ａ側の端部がヒンジ４０を介して第１の側板１１の下端部に取り付けられている。ヒンジ４０は、遮光板４の壁面Ａ側の端部において長尺方向に沿って等間隔に３つ設けられている。而して、遮光板４は壁面Ａ側の端部を軸として蛍光ランプＬａを覆い隠す位置と蛍光ランプＬａを下方に臨ませる位置との間で回動自在となっている。ここで、遮光板４の回動範囲は第３の取付板２４によって規制されており、第３の取付板２４と当接する位置で第３の取付板２４に配設された磁石２１の磁力によって固定される。したがって、遮光板４を回動させたい場合には、遮光板４を磁石２１の磁力に抗って下方に押し下げればよい。
【００１６】
この第３の取付板２４と当接する位置において、遮光板４は、第２の側板１２と対向する端部が第１の側板１１に設けられる端部、即ち壁面Ａ側の端部よりも上方に位置し、且つ少なくとも反射板３の下端部よりも上方に位置するようになっている。本実施形態では、第２の側板１２と対向する端部が湾曲部３０と垂下部３１との境界よりも上方で、且つ遮光板４の各端部を結ぶ直線上に湾曲部３０の略中央部が位置するように遮光板４が位置するようになっている。このため、遮光板４の水平方向に対する傾斜角度は約３０度となっている。而して、遮光板４はその上面で蛍光ランプＬａからの直接光を遮るとともに、その下面で反射板３からの反射光を反射して器具本体１の下方の空間に照射する役割を果たすようになっている。
【００１７】
第２の側板１２の下端部には、図１〜４に示すように、第２の側板１２と天井面Ｂとの間の空間を覆う取付枠５が取り付けられている。取付枠５は、例えばアルミニウム等の金属材料から成り、その下端部を頂角として上方に向かうにつれて幅広となる断面略三角形状であって且つその長手方向の長さが第２の側板１２の長手方向の長さと略一致するように形成されている。取付枠５の上端部には、自身を第２の側板１２に取り付けるための取付ねじＳが挿通される挿通溝５０が長手方向に沿って凹設されている。而して、挿通溝５０と第２の側板１２の下端部に設けられた複数のねじ挿通孔（図示せず）とを重ね合わせた状態で取付ねじＳで螺合することで、取付枠５が第２の側板１２に取り付けられる。また、取付枠５の上下方向における略中央部には、第２の側板１２の下端部から壁面Ａに向かう方向に延設された立片１２ａが係止する係止溝５１が長手方向に沿って凹設されている。更に、取付枠５の下端部には、水平方向に延設された係止片５２が一体に形成されており、当該係止片５２が天井面Ｂの下面に当接することで第２の側板１２と天井面Ｂとの間の空間を隙間無く覆うようになっている。
【００１８】
非反射部材６は、金属板から形成され、図１，５に示すように、反射板３の垂下部３１に配設される長尺平板状の主板６０と、主板６０の上端部から湾曲部３０に向かう方向に傾斜して延設された長尺平板状の補助板６１とから成る。非反射部材６の蛍光ランプＬａと対向する一面は、つや消し剤を塗布する等の処理が施されることで蛍光ランプＬａ又は反射板３からの光を吸収するようになっている。また、非反射部材６は図５に示すように、その長手方向の長さが蛍光ランプＬａの長手方向の長さよりも短くなっており、蛍光ランプＬａの口金近傍（図５におけるア参照）以外の部位と対向するように配設される。而して、蛍光ランプＬａの口金近傍以外の部位からの光を非反射部材６で吸収することで、他の部位と比べて光量の小さい蛍光ランプＬａの口金近傍からの光の照射量と他の部位からの光の照射量とを均一にしている。
【００１９】
上述のように、長尺板状の非反射部材６を蛍光ランプＬａの口金近傍以外の部位と対向するように配設したので、蛍光ランプＬａの口金近傍以外の部位からの光を非反射部材６で吸収することで、他の部位と比べて光量の小さい蛍光ランプＬａの口金近傍からの光の照射量と他の部位からの光の照射量とを均一にすることができる。したがって、従来例のように補助反射板１０３を設ける必要が無く、意匠性を損なうことなく容易に照明空間全体の光のムラを低減することができる。
【００２０】
ここで、本実施形態では、非反射部材６の補助板６１を長手方向における端部の幅寸法が他の部位の幅寸法よりも小さくなるように形成している。而して、他の部位と比べて光量の小さい蛍光ランプＬａの口金近傍からの光の照射量と他の部位からの光の照射量とをより均一にすることができ、したがって照明空間全体の光のムラをより低減することができる。
【００２１】
ところで、本実施形態では非反射部材６を主板６０と補助板６１とで構成しているが、補助板６１を設けずに主板６０のみで構成し、主板６０を反射板３の垂下部３１、即ち、壁面Ａと平行な面上に配設するのが望ましい。このように構成することで、器具本体１を下方から見上げた場合に非反射部材６が視界に入り難くなり、意匠性を向上することができる。
【００２２】
尚、本実施形態では長手方向両端部に口金を有する蛍光ランプＬａを用いるためにソケット２０を一対設けているが、例えば長手方向における一端部のみに口金を有する蛍光ランプＬａを用いる場合であればソケット２０を１つのみ設けても構わない。
【図面の簡単な説明】
【００２３】
【図１】本発明に係る照明器具の実施形態を示す要部断面図である。
【図２】同上の一部省略した分解斜視図である。
【図３】同上の側方から見た斜視図である。
【図４】同上の下方から見た斜視図である。
【図５】同上の非反射部材を示す図で、（ａ）は正面図で、（ｂ）は上方から見た図である。
【図６】従来の照明器具を示す概略図である。
【符号の説明】
【００２４】
１  器具本体
１０  天板
１１  第１の側板
１２  第２の側板
２０  ソケット
３  反射板
４  遮光板
６  非反射部材
Ａ  壁面
Ｂ  天井面
Ｌａ  蛍光ランプ
【図１】
2010067412.tif 000003
【図２】
2010067412.tif 000004
【図３】
2010067412.tif 000005
【図４】
2010067412.tif 000006
【図５】
2010067412.tif 000007
【図６】
2010067412.tif 000008